(57)【要約】【課題】構成の簡素化を図りながら小屋裏の熱籠りを解消できる屋根構造を提供する。【解決手段】野地板１と、防水シート２と、鋼板屋根材４とを備える屋根構造Ｒであって、前記防水シート２と前記鋼板屋根材４との間に高機能遮熱断熱遮音シート２０および角波型鋼板３が配設されてなるものである。ここで、高機能遮熱断熱遮音シート２０および角波型鋼板３はこの順で配設されてもよく、逆順で配設されてもよい。角波型鋼板３の山谷は、屋根の傾斜方向に形成されている。【選択図】図１
0003209975.tif 000002
【実用新案登録請求の範囲】
【請求項１】
野地板と、防水シートと、鋼板屋根材とを備える屋根構造であって、
前記防水シートと前記鋼板屋根材との間に高機能遮熱断熱遮音シートおよび角波型鋼板が配設されてなることを特徴とする屋根構造。
【請求項２】
防水シートの上に高機能遮熱断熱遮音シートが配設され、前記高機能遮熱断熱遮音シートの上に角波型鋼板が配設されてなることを特徴とする請求項１記載の屋根構造。
【請求項３】
防水シートの上に角波型鋼板が配設され、前記角波型鋼板の上に高機能遮熱断熱遮音シートが配設されてなることを特徴とする請求項１記載の屋根構造。
【請求項４】
角波型鋼板の山谷が屋根の傾斜方向に形成されてなることを特徴とする請求項２または請求項３記載の屋根構造。
【請求項５】
角波型鋼板の山谷が屋根の傾斜方向と直交方向に形成されてなることを特徴とする請求項２または請求項３記載の屋根構造。
【請求項６】
角波型鋼板の板厚が０．３ｍｍないし０．６ｍｍとされてなることを特徴とする請求項１記載の屋根構造。
【請求項７】
軒先部に軒先部換気口を備えてなることを特徴とする請求項１記載の屋根構造。
【請求項８】
軒先部換気口に換気面戸が配設されてなることを特徴とする請求項７記載の屋根構造。
【請求項９】
棟部に棟部換気口を有する棟部換気部を備えてなることを特徴とする請求項１記載の屋根構造。
【請求項１０】
棟部換気口に換気面戸が配設されてなることを特徴とする請求項９記載の屋根構造。
【考案の詳細な説明】
【技術分野】
【０００１】
本考案は屋根構造に関する。さらに詳しくは、鋼板屋根における改良された屋根構造に関する。
【背景技術】
【０００２】
従来より、屋根構造の一種として立平タイプの折板が用いられたものが知られている。しかるに、この折板は鋼板を折り曲げ成形してなるものとされているところから、熱吸収がよく直射日光にさらされると７０度程度の高温となる。また、鋼板は熱伝導率も高いところから、折板により吸収された熱は小屋裏に輻射される。その結果、小屋裏の温度が上昇して室内の温度も上昇する。
【０００３】
かかる折板からの輻射熱による小屋裏の温度上昇を抑制するため、図９に示すように、屋根１００を構成する野地板の上に施工した断熱材と屋根材との間に空気層１０１を形成して、直射日光によって熱せられた折板等の屋根材と室内とを空気層１０１内の空気と断熱材とによって断熱するようにしてなるものが知られている。また、前記公知構造の屋根１００においては、図９から理解されるように、空気層１０１は屋根の勾配に沿って形成されており、屋根材を介して熱せられた空気層１０１内の空気を棟に形成された排気口１０２から屋外に排出し、この空気流によって軒下部分に形成された吸気口１０３から外気を吸気して空気層１０１内の空気の温度上昇を防止し、小屋裏の温度上昇を抑制するようにされている。図中、矢符は空気の流れ方向を示す。
【０００４】
しかしながら、前記公知構造においては、雨水等の進入を防ぐために排気口１０２の開口面積を大きくすることができない関係上、換気効率が悪くて空気層１０１内で熱せられた空気が空気層１０１内に長く留まって、断熱効果が低下するという問題があった。
【０００５】
かかる公知構造の屋根１００における問題を解決することを目的として、特許文献１には図１０に示すように、屋根材と室内側に設置された断熱材との間に屋根の傾斜に沿って空気層２０１を形成し、前記空気層２０１の下端を軒部分に形成した吸気口２０２に接続するとともに、同空気層２０１の上部を建物の棟方向に沿って室内側に形成した排気通路２０３に接続して、前記排気通路２０３内に空気層２０１から排気通路２０３に流入する空気流によって回転駆動されるスパイラルファン２０４を配置し、前記スパイラルファン２０４によって空気層２０１内の高温の空気を排気通路２０３に沿って屋外に導出させるよう構成した住宅の空冷省エネ屋根構造２００が提案されている。図中、矢符は空気流れ方向を示す。
【０００６】
しかしながら、特許文献１の提案に係る屋根構造２００においては、断熱材が室内側に配設されているが、この断熱材の厚みは、一般的には１００ｍｍとされ、その熱容量が大きいため、日中の直射日光により間接的に加熱されて蓄熱し、その蓄熱した熱を夜間に輻射して屋内に熱籠りが生じるという問題がある。また、スパイラルファン２０４を屋根裏に配設しているので、屋根裏の構成が複雑になるという問題もある。その上、スパイラルファン２０４のメンテナンスを屋根裏でしなければならず、メンテナンスが煩雑になるという問題もある。
【０００７】
また、特許文献２には、垂木を断面がＩ型状としてその上下フランジ間に断熱材を配設するとともに、断熱材と野地板との間に通気層を設けた屋根の断熱構造が提案されている。
【０００８】
しかしながら、特許文献２の提案においても断熱材が使用されているため、断熱材による熱籠りが依然として生ずるという問題がある。
【先行技術文献】
【特許文献】
【０００９】
【特許文献１】特開２００２−２１２０５号公報
【特許文献２】特許第５３３５１７７号公報
【考案の開示】
【考案が解決しようとする課題】
【００１０】
本考案はかかる従来技術の課題に鑑みなされたものであって、構成の簡素化を図りながら小屋裏の熱籠りを解消できる屋根構造を提供することを主たる目的としている。
【課題を解決するための手段】
【００１１】
本考案の屋根構造は、野地板と、防水シートと、鋼板屋根材とを備える屋根構造であって、前記防水シートと前記鋼板屋根材との間に高機能遮熱断熱遮音シートおよび角波型鋼板が配設されてなることを特徴とする。
【００１２】
本考案の屋根構造の第１形態は、防水シートの上に高機能遮熱断熱遮音シートが配設され、前記高機能遮熱断熱遮音シートの上に角波型鋼板が配設されてなることを特徴とする。
【００１３】
本考案の屋根構造の第２形態は、防水シートの上に角波型鋼板が配設され、前記角波型鋼板の上に高機能遮熱断熱遮音シートが配設されてなることを特徴とする。
【００１４】
本考案の屋根構造においては、角波型鋼板の山谷が屋根の傾斜方向に形成されていてもよく、あるいは角波型鋼板の山谷が屋根の傾斜方向と直交方向に形成されていてもよい。
【００１５】
また、本考案の屋根構造においては、角波型鋼板の板厚が０．３ｍｍないし０．６ｍｍとされてなるのが好ましい。
【００１６】
また、本考案の屋根構造においては、軒先部に軒先部換気口を備えてなるのが好ましい。その場合、軒先部換気口に換気面戸が配設されてなるのがさらに好ましい。
【００１７】
また、本考案の屋根構造においては、棟部に棟部換気口を有する棟部換気部を備えてなるのが好ましい。その場合、棟部換気口に換気面戸が配設されてなるのがさらに好ましい。
【考案の効果】
【００１８】
本考案の屋根構造は、前記の如く構成されているので、小屋裏の熱籠りを解消できるとともに、小屋裏の遮熱および遮音が図られるという優れた効果を奏する。
【図面の簡単な説明】
【００１９】
【図１】本考案の実施形態１に係る屋根構造の要部断面図である。
【図２】同屋根構造の軒先部の概略図である。
【図３】同棟部の概略図である。
【図４】高機能遮熱断熱遮音シートの分解図である。
【図５】高機遮熱能断熱遮音シートの遮熱断熱原理を示す説明図である。
【図６】高機能遮熱断熱遮音シートの遮音性能試験結果のグラフである。
【図７】本考案の実施形態２に係る屋根構造の図１相当図である。
【図８】本考案における角波型鋼板の配置の他の例の概略図である。
【図９】公知構造の屋根構造の概略図である。
【図１０】特許文献１の提案に係る屋根構造の概略図である。
【考案を実施するための形態】
【００２０】
以下、添付図面を参照しながら本考案を実施形態に基づいて説明するが、本考案はかかる実施形態のみに限定されるものではない。
【００２１】
実施形態１
本考案の実施形態１に係る屋根構造Ｒの要部を図１に断面図で示し、図２に軒先部Ｎを概略図で示し、図３に棟部Ｍを概略図示す。
【００２２】
屋根構造Ｒは、図１ないし図３に示すように、耐火野地板１と、耐火野地板１の上に配設された防水シート２と、防水シート２の上に配設された高機能遮熱断熱遮音シート２０と、高機能遮熱断熱遮音シート２０の上に配設された角波型鋼板３と、角波型鋼板３の上に配設された立平タイプの折板４とを主要構成要素として備えてなるものとされる。図１中、符号１１および符号１２は空気を示す。
【００２３】
なお、作図および説明の便宜上、耐火野地板１と防水シート２と間に隙間が設けられ、防水シート２と高機能遮熱断熱遮音シート２０との間に隙間が設けられ、高機能遮熱断熱遮音シート２０と角波型鋼板３と間に隙間が設けられ、角波型鋼板３と折板４との間に隙間が設けられているが、実際には耐火野地板１と防水シート２とは当接し、防水シート２と高機能遮熱断熱遮音シート２０とは当接し、高機能遮熱断熱遮音シート２０と角波型鋼板３とは当接し、角波型鋼板３と折板４とは当接している。
【００２４】
ここで、角波型鋼板３の山谷の方向は屋根の傾斜と平行とされている。また、角波型鋼板３の山の幅Ｗ１および溝の幅Ｗ２はそれぞれ１０ｍｍとされ、高さＨは５ｍｍとされ、板厚は０．３ｍｍないし０．６ｍｍの薄肉とされている。ただし、山の幅Ｗ１、溝の幅Ｗ２および高さＨは前記に限定されるものではなく、適宜とすることができる。
【００２５】
なお、角波型鋼板３を薄肉とするのは、屋根の重量増加を抑制するためである。
【００２６】
軒先部Ｎには軒先部換気口６が設けられている。軒先部換気口６には、図示はされていないが、換気面戸が設けられている。図中、矢符は空気の流れ方向を示す。
【００２７】
棟部Ｍには棟部換気口８を有する棟部換気部７が設けられている。棟部換気口８には、図示はされていないが、換気面戸が設けられている。図中、矢符は空気流を示す。
【００２８】
耐火野地板１、防水シート２、および立平タイプの折板４は、公知構造のものを好適に用いることができ、その構成に特に限定はないので、その詳細な説明は省略する。
【００２９】
図４に、高機能遮熱断熱遮音シート２０を分解図で示す。
【００３０】
高機能遮熱断熱遮音シート２０は、図４に示すように、高機能の断熱性能を主として発揮する発泡体シート２１と、発泡体シート２１をサンドイッチ状に挟んでいる主として遮熱機能を発揮する保護被膜が形成されたアルミ箔シート２２とからなる積層体とされ、厚みは５ｍｍ程度、より具体的には４ｍｍ−６ｍｍとされる。保護被膜は、例えばポリエチレンテレフタレート製フィルムとされる。なお、かかる高機能遮熱断熱遮音シート２０としては、例えばイチエコシールドシート（株式会社一原産業  商品名  商標登録出願中）があげられる。
【００３１】
図５に、高機能遮熱断熱遮音シート２０の遮熱断熱原理をコンテナＣ内に装着した場合を例に取り説明する。
【００３２】
太陽Ｓからの直接の輻射熱ＤＲは、反射熱ＲＲのようにコンテナＣ外部に効率よく反射され、コンテナＣ内の高機能遮熱断熱遮音シート２０で覆われた内部への伝導熱が大幅に低減され、それにともなって、コンテナＣ内部における温度上昇、さらに温度上昇を助長する対流も起こりにくくなり、コンテナＣ内の温度上昇が４０度程度に抑えられる。比較のために、高機能遮熱断熱遮音シート２０を貼付しないでコンテナの内部温度の上昇を測定した。その結果、内部温度は７０度付近まで上昇した。このことから、高機能遮熱断熱遮音シート２０は、厚みが薄いにもかかわらず、優れた断熱性能および遮熱効果を有するといえる。それ故、高機能遮熱断熱遮音シート２０は、当然に優れた結露防止効果をも併せ持っている。
【００３３】
また、アルミ箔シート２２の表面は、図示はされていないが凸凹しているので、高機能遮熱断熱遮音シート２０は、輻射熱の散乱効果の他に音波の散乱効果も有していると想定される。つまり、高機能遮熱断熱遮音シート２０は、遮熱断熱性能が高いばかりでなく、遮音効果も高いことが想定される。そこで、高機能遮熱断熱遮音シート２０の遮音効果を確認するために遮音性能試験をＪＩＳ―Ａ１４１９により行った。その結果を図６に示す。図６より、高機能遮熱断熱遮音シート２０の音圧低減効果は、１０ｄＢ−２０ｄＢであることが理解される。
【００３４】
次に、図２および図３を参照しながら、かかる構成とされた屋根構造Ｒにおける屋根の換気について説明する。
【００３５】
角波型鋼板３の山の内側に存在する空気１１および谷の山の内側に存在する空気１２は、折板４が直射日光にさらされるために温度が上昇して屋根の傾斜に沿って上昇し、棟部Ｍの棟部換気部７に形成された棟部換気口８より排気される。山の内側に存在する空気１１および谷の山の内側に存在する空気１２が棟部換気口８より排気されると、それにつられて軒載部Ｎに設けられた軒先部換気口６より外気が導入されて山の内側に存在する空気１１および谷の山の内側に存在する空気１２の温度が低下する。
【００３６】
このように、本実施形態によれば、屋根の内側に角波型鋼板３を設けてその空気を換気させることにより、屋根の空冷がなされているので、小屋裏の温度上昇を抑制することができる。また、断熱材を使用していないので、断熱材に起因する熱籠り現象は生じない。さらに、高機能遮熱断熱遮音シート２０を用いるので、小屋裏の遮熱・遮音を図ることができて室内の温度上昇を一層抑制できる。
【００３７】
実施形態２
本考案の実施形態２に係る屋根構造Ｒの要部を図７に断面図で示す。
【００３８】
実施形態２に係る屋根構造Ｒは、実施形態１に係る屋根構造Ｒを改変してなるものであって、高機能遮熱断熱遮音シート２０と角波型鋼板３との積層順を逆にしてなるものとされる。つまり、防水シート２の上に角波型鋼板３を配設し、角波型鋼板３の上に高機能遮熱断熱遮音シート２０を配設してなるものとされる。なお、実施形態２の屋根構造Ｒのその余の構成は、実施形態１の屋根構造Ｒと同様とされている。
【００３９】
このように、本実施形態によれば、折板４の真下に高機能遮熱断熱遮音シート２０を配設しているので、折板４からの角波型鋼板３への輻射熱が遮断される。その結果、角波型鋼板３の蓄熱量が減少されて小屋裏の熱籠りが実施形態１に比してより一層低減される。
【００４０】
以上、本考案を実施形態に基づいて説明してきたが、本考案はかかる実施形態のみに限定されるものではなく、種々改変が可能である。
【００４１】
例えば、実施形態では鋼板屋根材は、立平タイプの折板とされているが、屋根鋼板は立平タイプの折板に限定されるものではなく、各種タイプの折板とすることができる。
【００４２】
また、本実施形態では角波型鋼板３の山谷の方向は、屋根の傾斜方向と同方向とされているが、図８に示すように、屋根の傾斜方向と直交方向とされてもよい。
【産業上の利用可能性】
【００４３】
本考案は住宅産業や建築産業に適用できる。
【符号の説明】
【００４４】
Ｒ        屋根構造
Ｍ        棟部
Ｎ        軒先部
Ｃ        コンテナ
１        耐火野地板
２        防水シート
３        角波型鋼板
４        折板
６        軒先部換気口
７        棟部換気部
８        棟部換気口
１１，１２  空気
２０        高機能遮熱断熱遮音シート
２１        発泡体シート
２２        アルミ箔シート
【図１】
0003209975.tif 000003
【図２】
0003209975.tif 000004
【図３】
0003209975.tif 000005
【図４】
0003209975.tif 000006
【図５】
0003209975.tif 000007
【図６】
0003209975.tif 000008
【図７】
0003209975.tif 000009
【図８】
0003209975.tif 000010
【図９】
0003209975.tif 000011
【図１０】
0003209975.tif 000012